(57)【要約】      （修正有）【課題】手摺棒の上部に物品を置いたり、通路側に物品等が出っ張ることがなく、簡単な構造で液体収納容器を支持することが可能な安価な液体収納容器の支持装置を提供する。【解決手段】筒状の支持装置本体１とキャップ２で構成され、支持装置本体の一端は手摺棒３３の端部に挿入し、他端には筒の上側面にＵ字状の切込み５を、１８０度離れた下側面には上側面よりも広幅のＵ字状の切込み４を設け、液体収納容器３５の頭部をＵ字状の切込み部に組み込み、Ｕ字状の切込みのある端部にキャップを取り付ける。【選択図】図１
0003224766.tif 000002
【実用新案登録請求の範囲】
【請求項１】
筒状の支持装置本体とキャップで構成され、支持装置本体の一端は手摺棒の端部に挿入し、他端には手摺棒に挿入した時に筒の上側になる個所にＵ字状の切込みを、１８０度離れた下側にもＵ字状の切込みを設け、前記Ｕ字状の切込みのある端部にキャップを取り付けたことを特徴とする液体収納容器の支持装置。
【請求項２】
支持装置本体の一端は円筒形状で、Ｕ字状の切込みを設けた他端は矩形筒状であることを特徴とする請求項１記載の液体収納容器の支持装置。
【請求項３】
筒状の支持装置本体の一端から伸びる筒の中心軸と、他端から伸びる筒の中心軸の成す角度が90度以上150度以下であることを特徴とする請求項１または請求項２の何れか1つに記載の液体収納容器の支持装置。
【考案の詳細な説明】
【技術分野】
【０００１】
本考案は、消毒液、香水、消臭剤などの液体を収納する容器を、屋内の壁面や階段などに固定された手摺の端部に取付ける液体収納容器の支持装置に関するものである。
【背景技術】
【０００２】
従来のこの種の液体収納容器の支持装置３１として、例えば図６に示すような構成のものが知られている。
図において、液体収納容器の支持装置３１は、受台本体３２の一部とＬ
字形の調整板３６の垂直部を手摺棒３３と壁面３４との間に差し込み、受台の底板３７とＬ字形の調整板３６の水平部を手摺棒３３の上部に載せ、受け台本体３２の一部を壁面３４の押し付けた状態でＬ字形の調整板３６を移動させて手摺棒３３に押圧・固定し、液体収納容器３５を受台本体３２に収納している。
【先行技術文献】
【特許文献】
【０００３】
【特許文献１】特開平１０−０３３６４４
【特許文献２】特開平０７−１８７１９４
【特許文献３】特開２００５−１９３９６７
【考案の概要】
【考案が解決しようとする課題】
【０００４】
手摺棒が設置され使用するのは、病院や介護施設等で手足の不自由な人やリハビリ中の人が多く、手摺棒から手を離すことなく手摺棒上で手を滑らせて移動される人もいる。このような人にとっては、手摺棒の上に物品が設置されているとその箇所で手を手摺棒から離さざるを得ない。このため、手を離したときにそこでよろけたり転倒したりする危険性がある。
また、病院や介護施設ではベッドや車いす等を手摺棒が設置された通路を移動させるので、手摺棒から出っ張って設置される消毒器等の液体収納容器はベッドや車いすを移動させるのに邪魔になる弊害がある。
【課題を解決するための手段】
【０００５】
本考案は、手摺棒上に物品を設置することなく、また、手摺棒から通路側に物品等が出っ張る事なく、手摺棒に液体収納容器を設置するようにしたものである。
本考案の第１は、筒状の支持装置本体とキャップで構成され、支持装置本体の一端は手摺棒の端部に挿入し、他端は手摺棒に挿入した時に筒の上側にＵ字状の切込みを、１８０度離れた下側にもＵ字状の切込みを設け、液体収納容器の頭部を前記Ｕ字状の切込み部に組み込み、Ｕ字状の切込みのある端部にキャップを取り付けるようにした液体収納容器の支持装置である。
【０００６】
本考案の第２は、支持装置本体の一端は円筒形状で、Ｕ字状の切込みを設けた他端は矩形筒状である液体収納容器の支持装置である。この形状とすることにより、取付ける液体収納容器の頭部がより大きな形状のものも組み込むことができる。
【０００７】
本考案の第３は、筒状の支持装置本体の一端から伸びる筒の中心軸と、Ｕ字状の切込みを設けた他端から伸びる筒の中心軸の成す角度が８５度以上１５０度以下である液体収納容器の支持装置としている。この形状とすることにより、垂直に取り付けられた手摺棒や角度を付けて取り付けられた手摺棒でも、液体収納容器を取付けるＵ字状の切込み部をほぼ水平に保つことができ、液体収納容を垂直に取り付けることができる。
【考案の効果】
【０００８】
本考案はによれば、前記従来のような複数の部材を使用することなく、また、手摺棒の上部に物品を置いたり、通路側に物品等が出っ張ることもなくなり、簡単な構造で液体収納容器を支持することが可能となり、安価な液体収納容器の支持装置を得ることができる。
【図面の簡単な説明】
【０００９】
【図１】本考案の液体収納容器の支持装置に液体収納容器を取り付けた状態を示す側面図である。
【図２】本考案の液体収納容器の支持装置の支持装置本体を示す。
【図３】本考案の液体収納容器の支持装置の支持装置本体の他の例を示す。
【図４】角度を付けて設置された手摺棒に、本考案の液体収納容器の支持装置に液体収納容器を取り付けた状態を示す側面図である。
【図５】垂直に設置された手摺棒に、本考案の液体収納容器の支持装置に液体収納容器を取り付けた状態を示す側面図である。
【図６】従来例の液体収納容器の支持装置に、液体収納容器を収納した状態を示す斜視図である。
【考案を実施するための形態】
【００１０】
次に、本考案を実施するための形態について、図面を参照しながら具体的に
説明する。ただし、以下に示す実施例は、本考案の技術的思想を具体化する
ための液体収納容器の支持装置の一例を示すものであって、以下のものに特
定するものではない。
【実施例】
【００１１】
以下、本考案を実施するための形態について図面に基づいて説明する。
図１は本考案の一実施例で、消毒液が封入された液体収納容器３５を取り付けた液体収納容器の支持装置９９の側面図である。１は支持装置本体で円筒形状をしており、その一端を手摺棒３３に挿入する。支持装置本体１が手摺棒３３と接する接合部にはピン打ち用の孔３を設けているので、必要に応じて抜け防止あるいは回転防止のためにピンを打つことができる。他端には、２つのＵ字状切込みを１８０度ずらした位置に設けており、その１つである下側のＵ字切込み４は液体収納容器３５の首部を引っ掛けるためのもので広幅となり、上側のＵ字状の切込み５は液体取り出し部材を突出させるもので狭幅としている。Ｕ字状の切込みを設けた端部にはキャップ２を取り付け、液体収納容器３５が支持装置本体１から外れるのを防止している。キャップ２と支持装置本体１はネジ構造で組み合わせてもよいし、支持装置本体の外面とキャップの内面を平坦面とし、一方に突起を他方にこの突起に嵌合する孔を設けて両者が噛み合う構造とし、キャップが容易に抜け落ちないようにしてもよい。
消毒液が封入された液体収納容器３５の取り付けは、首の出っ張りを下側のＵ字状切込み４に引っかけ、上側のＵ字状の切込み５から液体収納容器の液体取り出し部材を突出させるように挿入し、Ｕ字切込み部がある支持装置本体１の端部にキャップ２を取り付ける。このようにすれば、液体収納容器３５は支持装置本体１にぶら下げられた状態となり、Ｕ字状の切込み部はキャップ２で閉じられているので液体収納容器３５が抜け落ちることはない。また、液体収納容器３５は手摺棒３３の端部に取り付けられているので、手摺棒３３の上部に物品を置いたり、手摺棒３３から物品等が通路側に出っ張ることもない。
図２は液体収納容器の支持装置本体１を示す。一端から他端まで円筒状の筒  から成り、手摺棒３３に挿入しない一端には２つのＵ字状の切込みを設けてあり、手摺棒３３と組み立てたときに下側となるＵ字状切込み４は広幅とし、上側となるＵ字状切込み５は狭幅としている。図示していないが、一般的にはＵ字状切込み４を設ける上側にピン打ち用の孔３を設けている。
図３は他の液体収納容器の支持装置本体１１を示す。手摺棒３３に挿入する一端は円筒から成り、他端は矩形の筒形状とし、１８０度ずらした位置に２つのＵ字状の切込みを設けている。手摺棒３３と組み立てたときに下側となるＵ字状切込み４は広幅とし、上側となるＵ字状切込み５は狭幅としている。
図４は本考案の他の実施例を示す液体収納容器の支持装置９９の側面図である。この例は、水平に対して４５度の角度をつけた階段の上り口に設置された手摺棒３３に、液体収納容器の支持装置９９が設置された例を示している。液体収納容器の支持装置本体２１は、手摺棒３３への挿入側と液体収納容器３５を取付ける側の筒の軸間の角度を１３５度としている。支持装置本体２１を手摺棒３３に挿入した後、支持装置本体２１が手摺棒３３から抜け落ちるのを防止するため、支持装置本体のピン穴３にピン６を打つ。支持装置本体２１の液体収納容器３５を取付けるＵ字状切込み部はほぼ水平となっており、液体収納容器３５は垂直に取り付けられる。この液体収納容器の支持装置９９は、水平に対して角度をつけた階段の下り口も同様に設置することができる。
図５は本考案の他の実施例を示す液体収納容器の支持装置９９の側面図である。この例は、手摺棒３３が垂直に設置される病院等入り口や玄関において、液体収納容器の支持装置９９を手摺棒３３の下端に設置した例を示している。液体収納容器の支持装置本体２６は、手摺棒３３への挿入側と液体収納容器３５を取付ける側の筒の軸間の角度を９０度としている。支持装置本体２６を手摺棒３３に挿入した後、支持装置本体２６が手摺棒３３から抜け落ちるのを防止するため、支持装置本体のピン穴３にピン６を打つ。支持装置本体２６の液体収納容器３５を取付けるＵ字状切込み部は水平となっており、液体収納容器３５は垂直に取り付けられる。この液体収納容器の支持装置９９は、垂直に設置された手摺棒３３の上端にも同様に設置することができる。
【産業上の利用可能性】
【００１２】
本考案の液体収納容器の支持装置９９を手摺棒３３に取付けることにより、液体収納容器３５等が手摺棒３３の上部に物品等を置いたり、手摺棒３３から通路側に物品等が出っ張って設置されなくなるので、手足の不自由な人やリハビリ中の人が、手摺棒３３から手を離すことなく手摺棒３３に沿って手をスライドさせて移動できるので、よろけたり転倒したりする危険性を防止できる。
また、病院や介護施設等では、液体収納容器３５等が手摺棒３３から消毒器等の物品が出っ張って設置されなくなるので、ベッドや車いす等を移動させるとき、移動の邪魔になる弊害が無くなる。
【符号の説明】
【００１３】
１    支持装置本体
２    キャップ
３    支持装置本体固定用の孔
４    下側のＵ字状切込み
５    上側のＵ字状切込み
６    ピン
１１  支持装置本体
１４  下側のＵ字状切込み
１５  上側のＵ字状切込み
２１  くの字形支持装置本体
２６  Ｌ字形支持装置本体
３１  液体収納容器の支持装置
３２  受台本体
３３  手摺棒
３４  壁面
３５  液体収納容器
３６  Ｌ字形調整板
３７  底板
【図１】
0003224766.tif 000003
【図２】
0003224766.tif 000004
【図３】
0003224766.tif 000005
【図４】
0003224766.tif 000006
【図５】
0003224766.tif 000007
【図６】
0003224766.tif 000008